【手続補正書】
【提出日】平成29年9月8日(2017.9.8)
【手続補正１】
【補正対象書類名】明細書
【補正対象項目名】０００３
【補正方法】変更
【補正の内容】
【０００３】
従来，本出願人が開発した直線運動用玉軸受のボール保持体は，トラックレールに組み付けられていない時にスライドユニットの軌道面上のボール群の逸脱落下を防止するためスライドユニットの軌道面と対向してスライドユニットに取り付けられている。該ボール保持体は，図１，図２１〜図２３に示すように，断面高さが幅より大である細長い金属をコの字形に形成されているおり，スライドユニットの両端の側板の外端面の係止凹所に引っ掛けて固定されている。保持バンド７Ｐは，ボール１０を保持する保持部２５Ｐ，保持部２５Ｐの両端側を折曲した折曲部２６Ｐ，及び折曲部２６Ｐの先端を折曲してスライダに係止する係止爪部２７Ｐから形成されており，スライダに形成された軌道溝に沿って延びると共に，軌道レール１の側面３７の軌道溝１１に沿って形成された保持バンド用溝２３に非接触状態に遊嵌し，ボール１０を保持する面に沿う長手方向両側角部が鋭角に形成されている。軌道レール１に形成された保持バンド用溝２３は，底部４３及び底部４３と軌道溝１１とを結ぶ斜面４４から形成されている。保持バンド７Ｐは，ボール１０を保持する対向面の幅は，その反対側の背面の幅と同等の幅に形成され，断面略長方形状に形成されている（例えば，特許文献１参照）。
【手続補正２】
【補正対象書類名】明細書
【補正対象項目名】００１８
【補正方法】変更
【補正の内容】
【００１８】
以下，図面を参照して，この発明による直動転がり案内ユニットの実施例を説明する。この発明による直動転がり案内ユニットは，概して，図１に示すように，ベース等に取り付けるため取付け用孔３０や長手方向の両側面３７に沿って軌道溝１１（第１軌道溝）がそれぞれ形成された軌道レール１，及び軌道レール１に跨架して転動体を介して相対的に摺動自在なスライダ２を有している。この実施例では，転動体はボール１０であって，軌道レール１とスライダ２とに形成された軌道溝１１，１２は，両側に形成されている。スライダ２は，主として，軌道レール１の軌道溝１１に対向して形成された軌道溝１２（第２軌道溝）が形成されたケーシング３，ケーシング３の両端面３８にそれぞれ取り付けられ且つ軌道路２０とリターン路２２とを連通する円弧状の方向転換路２１が形成されたエンドキャップ４，軌道路２０，リターン路２２及び一対の方向転換路２１で構成される循環路１９を転走する複数の転動体であるボール１０，エンドキャップ４の端面３９に配設されたエンドシール８，並びにボール１０をスライダ２に保持するためスライダ２に支持された保持バンド７から構成されている。ケーシング３に形成されているリターン路２２は，ケーシング３の軌道溝１２に平行に延びて形成された貫通孔３１に，嵌挿したスリーブ１７の通し孔で形成されている。軌道レール１の軌道溝１１及びケーシング３の軌道溝１２は，断面が円弧状に形成され，ボール１０がスムーズに転動できるように，ボール１０の直径φＤａに整合するサイズに形成されている。エンドシール８は，軌道レール１に対するシール機能を有すると共に，エンドキャップ本体５の端面３９に接して固定され，保持バンド７がエンドキャップ本体５から外れるのを阻止する機能も有している。
【手続補正３】
【補正対象書類名】明細書
【補正対象項目名】００２３
【補正方法】変更
【補正の内容】
【００２３】
この発明による直動転がり案内ユニットでは，折曲部２６の複数の波形は，図１０，図１７，図２０の（Ａ），（Ｂ）に示すように三角波形，又は図２０の（Ｃ）に示すように円弧波形に形成することができる。また，保持バンド７は，断面が図６又は図１１に示すように，正方形，又は図１８に示すように，丸形に形成することができる。この直動転がり案内ユニットでは，保持バンド７の断面形状を正方形に形成することによって，従来の保持バンド７Ｐのように断面縦長矩形に形成したものに比較して，軌道レール１の保持バンド用溝２３の壁部（斜面４４）とのクリアランスを大きく形成することができる。また，図８〜図１１に示す保持バンド７の他に，別の実施例として，図１６〜図１９に示すように，断面が丸形の針金状から成る保持バンド７Ｅに形成することができる。保持バンド７Ｅは，保持バンド７と機能は同様であり，保持部２５Ｅ，その両端部の折曲部２６Ｅ，及び折曲部２６Ｅの先端部材の係止爪部材２７Ｅから構成されている。その他，図２０に示すように，第１実施例の保持バンド７の折曲部２６と比較して折曲部２６Ａが１個多く形成された保持バンド７Ａ，保持バンド７の折曲部２６と比較して折曲部２６Ｂが２個多く形成された保持バンド７Ｂ，又は保持バンド７Ａの保持部２６Ａの折曲部と比較して折曲部２６Ｃが円弧状に形成された保持バンド７Ｓに形成することもできる。勿論，保持バンド７Ａ，７Ｂ，７Ｃは，ボール１０を保持する保持部２５Ａ，２５Ｂ，２５Ｃ，保持部２５Ａの両端の折曲部２６Ａ，２６Ｂ，２６Ｃ，及び折曲部２６Ａの先端が折り曲がった係止爪部２７Ａ，２７Ｂ，２７Ｃからそれぞれ形成されている。
【手続補正４】
【補正対象書類名】特許請求の範囲
【補正対象項目名】全文
【補正方法】変更
【補正の内容】
【特許請求の範囲】
【請求項１】
長手方向に沿って第１軌道溝が形成された長尺状の軌道レール及び前記軌道レールの前記長手方向に摺動自在なスライダを有し，前記スライダは，前記軌道レールの前記第１軌道溝に対向して延びる第２軌道溝と前記第２軌道溝に平行に延びるリターン路が形成されたケーシング，前記ケーシングの両端面にそれぞれ取り付けられ且つ前記第１軌道溝と前記第２軌道溝との間に形成される軌道路と前記リターン路とを連通する方向転換路が形成された一対のエンドキャップ，前記エンドキャップの端面にそれぞれ配設されたエンドシール，前記軌道路と前記リターン路と一対の前記方向転換路とで構成される循環路を転走する複数のボールである転動体，及び前記転動体を前記ケーシングに保持する保持バンドを有することから成る直動転がり案内ユニットにおいて，
前記保持バンドは，棒状部材から成り，前記転動体を前記軌道路に沿って保持する保持部，前記保持部のそれぞれの両端部を前記長手方向に対して折り曲げて前記エンドキャップの前記端面に形成された保持バンド用凹溝に嵌入する折曲部，及び前記折曲部のそれぞれの先端部を折り曲げて前記エンドキャップに係止する係止爪部から構成されており，前記保持バンドの前記折曲部は，複数の波形に折り曲げられて前記折曲部の頂部が前記保持バンド用凹溝の壁面に当接して前記折曲部が前記保持バンド用凹溝に対して締め代を持って嵌入されており，
前記軌道レールには前記第１軌道溝の中央位置に長手方向に沿って保持バンド用溝が形成されており，前記保持バンドの前記保持部は，前記保持バンド用溝の中央位置で且つ底部に対して前記長手方向にすきまを有して位置設定されていることを特徴とする直動転がり案内ユニット。
【請求項２】
前記折曲部は，前記保持バンド用凹溝の対向する壁面の一方に押圧当接する第１折曲部と前記壁面の他方に押圧当接する第２折曲部に折り曲げられており，前記第１折曲部と前記第２折曲部との頂部が前記保持バンド用凹溝に対して締め代を持って嵌入されていることを特徴とする請求項１に記載の直動転がり案内ユニット。
【請求項３】
前記折曲部の前記複数の前記波形は，前記第１折曲部が前記折曲部の中央に位置し，前記第２折曲部が前記第１折曲部の両側に位置していることを特徴とする請求項２に記載の直動転がり案内ユニット。
【請求項４】
前記折曲部の前記第１折曲部は，前記保持バンド用凹溝の対向する前記壁面の一方に少なくとも２個位置し，前記第２折曲部は前記保持バンド用凹溝の対向する前記壁面の他方に少なくとも２個位置していることを特徴とする請求項２に記載の直動転がり案内ユニット。
【請求項５】
前記折曲部の前記複数の前記波形は，三角波形又は円弧形から構成されていることを特徴とする請求項１〜３のいずれか１項に記載の直動転がり案内ユニット。
【請求項６】
前記保持バンドを構成する前記棒状部材は，針金部材から成り，断面が正方形又は丸形に形成されていることを特徴とする請求項１〜５のいずれか１項に記載の直動転がり案内ユニット。